(57)【特許請求の範囲】
【請求項１】
機器本体と、該機器本体に着脱可能な電気部品とを備え、該電気部品は該機器本体の外壁に取り付けられ、該電気部品は、該電気部品と該機器本体との電気的な接続を達成するための端子と、該機器本体で発生する熱を逃がすための放熱構造とを有し、該放熱構造は該電気部品の外面と該機器本体の外面との間で空気の通過を許容する凹凸壁構造であり、該凹凸壁構造は壁構造部材と放熱部材から成り、放熱部材の一部が前記凹凸壁構造の凸部に露出し、放熱部材の他の一部が前記凹凸壁構造の凹部に露出していることを特徴とする電子機器。
【請求項２】
該放熱構造は該機器本体で発生する熱を該電気部品を通して逃がすための放熱部材であることを特徴とする請求項１に記載の電子機器。
【請求項３】
該電子機器は放熱部材を備え、該電気部品の放熱部材は取り付け時に該電子機器の放熱部材に連結される構造を有することを特徴とする請求項２に記載の電子機器。
【請求項４】
該放熱構造は該機器本体で発生する熱を該電気部品を通して逃がすためのファンを含むことを特徴とする請求項１に記載の電子機器。
【請求項５】
該機器本体及び該電気部品は該電気部品を該機器本体に機械的に接続する機械的接続手段とを有することを特徴とする請求項１に記載の電子機器。
【請求項６】
該電気部品はバッテリパックであることを特徴とする請求項１に記載の電子機器。
【請求項７】
該電気部品はさらに他の部品を取り付けることのできるコネクタボックスであることを特徴とする請求項１に記載の電子機器。
【請求項８】
該電気部品は該機器本体の後部に沿って長く延びることを特徴とする請求項１に記載の電子機器。
【請求項９】
該電気部品は機器本体の後部の長さの半分以上の長さを有することを特徴とする請求項８に記載の電子機器。
【請求項１０】
該電子機器はキーボードを含む部分と、該キーボードを含む部分に枢着され、ディスプレイを含む部分とを有するノートブック型の情報処理装置であることを特徴とする請求項１に記載の電子機器。
【請求項１１】
機器本体の外壁に着脱可能であり、電気的な接続を達成するための端子と、機器本体で発生する熱を逃がすための放熱構造とを有し、該放熱構造は該電気部品の外面と該機器本体との外面との間で空気の通過を許容する凹凸壁構造であり、該凹凸壁構造は壁構造部材と放熱部材から成り、放熱部材の一部が前記凹凸壁構造の凸部に露出し、放熱部材の他の一部が前記凹凸壁構造の凹部に露出していることを特徴とする電気部品。
【請求項１２】
該放熱構造は該機器本体で発生する熱を該電気部品を通して逃がすための放熱部材であることを特徴とする請求項１１に記載の電気部品。
【請求項１３】
該放熱部材は取り付け時に電子機器の放熱部材に連結される構造を有する請求項１２に記載の電気部品。
【請求項１４】
該放熱構造は該機器本体で発生する熱を該電気部品を通して逃がすためのファンを含むことを特徴とする請求項１１に記載の電気部品。
【請求項１５】
該電気部品を機器本体に機械的に接続する機械的接続手段とを有することを特徴とする請求項１１に記載の電気部品。
【請求項１６】
該電気部品はバッテリパックであることを特徴とする請求項１１に記載の電気部品。
【請求項１７】
該電気部品はさらに他の部品を取り付けることのできるコネクタボックスであることを特徴とする請求項１１に記載の電気部品。
【発明の詳細な説明】
技術分野
本発明は電子機器及び電子機器に取り付けられることのできる電気部品に関する。
背景技術
近年の電子情報処理装置は、例えば、ノート型のパーソナルコンピュータなどのように携帯型の電子機器として利用できるように小型軽量化されている。携帯型の電子機器はバッテリを含み、バッテリは比較的に大きな容量をもつものが使用され、通常は交換の必要がないので機器本体内部に収納されている。しかし、バッテリ自体も小型化を余儀なくされてきており、容量と重量と体積の関係で、交換が必要な場合もある。
バッテリが機器本体の内部に収納されていると、バッテリを容易に交換することができない。バッテリを容易に交換することができるためには、バッテリが機器本体に機器本体の外部から脱着可能に取り付けられているのが好ましい。
特開平３−２７５９６号公報は機器本体の凹部にバッテリを配置し、バッテリの表面を露出させて機器本体の表面の一部とした小型電子機器を開示している。
特開平６−１６３０１５号公報は機器本体の側部に凹部を設け、バッテリをこの凹部に挿入することによりバッテリを機器本体に取り付けることができるようにしたバッテリパックの収納構造を開示している。
特開平８−７６８８７号公報は、バッテリを機器本体の後部に取り付けることができるようにした情報機器における薄型化構造を開示している。
特開平８−５５６１７号公報は、バッテリを機器本体内部に取り付けるに際し、機器本体内部のコネクタに対して、バッテリを上方から、下方から、及び側方からのいずれからも接続することができるようにしたパッテリパック及びその接続構造を開示している。
特開平１０−１１６１３３号公報は、機器本体にコネクタを設け、拡張用のコネクタボックスをこのコネクタに接続可能にした携帯情報機器を開示している。拡張用のコネクタボックスは機器本体のコネクタに接続可能なコネクタを有するとともに、さらにその他の部品と接続できる複数のコネクタを備えている。
また、この公報では、拡張用のコネクタボックスは、機器本体に内蔵されたバッテリ（内蔵バッテリ）に対して、拡張用のバッテリ（外付けバッテリ）を含むことができる。内蔵バッテリ及び外付けバッテリを含む情報処理装置においては、内蔵バッテリの寿命がきても、外付けバッテリにより情報処理装置を作動させることができ、あるいは外付けバッテリの容量を増大して情報処理装置の使用条件をさらに拡張することができる。
外付けバッテリがない情報処理装置の場合には情報処理装置の内部で発生した熱が情報処理装置の外壁から外部に発散することができる。しかし、外付けバッテリが情報処理装置に取り付けられた場合、外付けバッテリが情報処理装置の外壁に密着し、外付けバッテリと情報処理装置との接合部においては、情報処理装置の内部で発生した熱が情報処理装置の外壁から外部に発散することが妨げられる。そのため、情報処理装置の内部の電子部品（特にＣＰＵ）の温度が上昇する可能性がある。
発明の開示
本発明の目的は外付け電気部品が電子機器に取り付けられた場合でも電子機器の内部の電子部品の温度が過度に上昇しないようにした電子機器及び電気部品を提供することである。
上記目的を達成するために、本発明による電子機器は、機器本体と、該機器本体に取り付けることのできる電気部品とを備え、該電気部品は該機器本体の外壁に取り付けられ、該電気部品は、該電気部品と該機器本体との電気的な接続を達成するための端子と、該機器本体で発生する熱を逃がすための放熱構造とを有することを特徴とするものである。
この構成によれば、電子機器で発生した熱は電気部品の放熱構造により逃がされるため、電子機器の内部の電子部品の温度が過度に上昇することがない。
好ましくは、放熱構造は該電気部品の外面と該機器本体の外面との間で空気の通過を許容する凹凸壁構造である。あるいは、放熱構造は該機器本体で発生する熱を該電気部品を通して逃がすための放熱部材である。あるいは、放熱構造は該機器本体で発生する熱を該電気部品を通して逃がすためのファンを含む。放熱構造はこれらの手段の２つ又は３つを組み合わせた構造とすることもできる。
好ましくは、機器本体及び電気部品は該電気部品を該機器本体に機械的に接続する機械的接続手段とを有する。好ましくは、電気部品はバッテリパックであり、あるいは電気部品はさらに他の部品を取り付けることのできるコネクタボックスである。
好ましくは、電気部品は該機器本体の後部に沿って長く延びる。この場合、電気部品は機器本体の後部の長さの半分以上の長さを有し、好ましくは電気部品は機器本体の後部の長さとほぼ等しい長さを有する。
好ましくは、電子機器はキーボードを含む部分と、該キーボードを含む部分に枢着され、ディスプレイを含む部分とを有するノートブック型の電子機器である。
そして、本発明による電気部品は、機器本体の外壁に取り付けられ、電気的な接続を達成するための端子と、機器本体で発生する熱を逃がすための放熱構造とを有する。
この場合にも、放熱構造は該電気部品の外面と該機器本体との外面との間で空気の通過を許容する凹凸壁構造である。あるいは、放熱構造は該機器本体で発生する熱を該電気部品を通して逃がすための放熱部材である。あるいは、放熱構造は該機器本体で発生する熱を該電気部品を通して逃がすためのファンを含む。放熱構造はこれらの手段の２つ又は３つを組み合わせた構造とすることもできる。電気部品を機器本体に機械的に接続する機械的接続手段とを有する。電気部品はバッテリパックであり、あるいは電気部品はさらに他の部品を取り付けることのできるコネクタボックスである。
発明を実施するための最良の形態
図１及び図２は本発明の実施例による電子機器を示す。ノートブック型パソコンとして構成された携帯型の電子機器（情報処理装置）１０は、キーボード１２を含む部分１４と、キーボード１２を含む部分１４に枢着され、ディスプレイ１６を含む部分１８とを有する。キーボード１２を含む部分１４は機器本体と呼ばれ、キーボード１２の下方にプリント回路基板及び電子部品を含む。
キーボード１２を含む部分１４はほぼ矩形状の表面形状に形成される。バッテリパック２０がキーボード１２を含む部分１４の後部に取り付けられるようになっている。バッテリパック２０はキーボード１２を含む部分（機器本体）１４の後部に沿って長く延びる。好ましくは、バッテリパック２０は機器本体の後部の長さの半分以上の長さを有する。実施例においては、バッテリパック２０は機器本体の後部の長さとほぼ等しい長さを有する。
図２は、キーボード１２を含む部分１４とバッテリパック２０との取り付け構造を示す図である。キーボード１２を含む部分１４の後部の外壁２２はほぼ平坦であり、バッテリパック２０はこの外壁２２に取り付けられる。外壁２２は、バッテリパック２０を機器本体に電気的に接続するためのコネクタ２４と、バッテリパック２０を機器本体に機械的に接続するためのねじ穴２６とを有する。コネクタ２４は複数の端子２４ａを含み、端子２４ａはキーボード１２を含む部分１４の内部に配置されたプリント回路基板（図示せず）に接続される。
バッテリパック２０はリチウム電池２７を樹脂の外壁２８でモールドして覆った構造である。バッテリパック２０は導線３０によってリチウム電池２７に接続されたコネクタ３２と、バッテリパック２０を機器本体に機械的に接続するためのねじ３４とを有する。コネクタ３２は複数の端子３２ａを含む。
バッテリパック２０をキーボード１２を含む部分１４の後部の外壁２２に押しつけると、コネクタ３２がコネクタ２４に嵌合され、バッテリパック２０がキーボード１２を含む部分１４に電気的に接続される。ねじ３４を回すと、ねじ３４がねじ穴２６に螺合され、バッテリパック２０がキーボード１２を含む部分１４に機械的に接続される。
ねじ３４の頭３６はバッテリパック２０の外部に出ている。ねじ３４はばね３８により付勢され、先端のねじ部が常にバッテリパック２０の外部に出るようになっている。従って、ねじ３４の頭３６を手で回せば、ねじ３４がねじ穴２６に螺合される。このようにして、バッテリパック２０を情報処理装置１０に外付けすることができる。
さらに、バッテリパック２０は電子機器１０の機器本体で発生する熱を逃がすための放熱構造４０を有する。図２においては、放熱構造４０は、バッテリパック２０の外壁２８に凹凸を形成してなるフィン状の凹凸壁構造４２を含む。バッテリパック２０が電子機器１０の外壁２２に実質的に密着して取り付けられた構成において、凹凸壁構造４２はバッテリパック２０の外面と電子機器１０の機器本体の外面との間で間隙を形成し、空気の通過を許容する。
従って、電子機器１０の機器本体の内部でＣＰＵ等から発生した熱は凹凸壁構造４２によって形成された空気の通路を通って電子機器１０の機器本体の外部へ逃げることができる。従って、電子機器１０の機器本体の内部のＣＰＵ等の電子部品が過熱されることがなく、ＣＰＵ等の電子部品が正常な動作を続けることができる。
さらに、放熱構造４０は、電子機器１０の機器本体で発生する熱をバッテリパック２０を通して逃がすための放熱部材（ヒートシンク）４４を含む。放熱部材４４はバッテリパック２０の外壁２８の内部に配置されているが、放熱部材４４の一部４４ａは凹凸壁構造４２の凸部において露出し、バッテリパック２０を電子機器１０の機器本体に取り付けると放熱部材４４の一部４４ａが電子機器１０の機器本体の外面に接触し、電子機器１０の機器本体で発生した熱が放熱部材４４に流れるようになっている。
また、放熱部材４４の一部４４ｂは凹凸壁構造４２の凹部において露出し、放熱部材４４に流れた熱が凹凸壁構造４２の空気の通路に流れるようになっている。さらに、放熱部材４４に流れた熱はバッテリパック２０の他の部分を通ってバッテリパック２０の外部へ流れる。
このようにして、バッテリパック２０を電子機器１０の機器本体に取り付けても、電子機器１０の機器本体で発生した熱はバッテリパック２０に設けた放熱構造４０によって電子機器１０の機器本体の外部へ放熱することができ、電子機器１０の機器本体の内部のＣＰＵ等の電子部品が過熱されることがなく、ＣＰＵ等の電子部品が正常な動作を続けることができる。
上記の例では、放熱構造４０は、凹凸壁構造４２と、放熱部材４４との組み合わせであった。しかし、放熱構造４０は、凹凸壁構造４２と放熱部材４４のいずれか一つとすることもできる。
図３及び図４は、放熱構造４０が凹凸壁構造４２からなる例を示す図である。凹凸壁構造４２は凸部４６を間隔をあけて形成し、凸部４６間に凹部４８を形成したものである。空気は凹部４８を通ることができる。
なお、本例の凹凸壁構造４２は複数箇所に凸部４６および凹部４８を形成したものであるが、機器本体に接触する必要がある部分（ねじ止め部分、コネクタ部分）のみを凸部４６とし、他の箇所を凹部４８としてもよい。ただし、本例で示した凹凸壁構造４２のほうが、機器本体と接する面積が多いため取り付け強度は有利である。
図５は、放熱構造４０が凹凸壁構造４２と放熱部材４４との組み合わせからなる例を示す図である。放熱部材４４は凹凸壁構造４２の凸部４６の表面に取り付けられており、情報処理装置１０の機器本体の外壁に直接的に接触するようになっている。
図６及び図７は、放熱部材４４の変形例を示す図である。放熱部材４４の一部４４ｃはバッテリパック２０の外壁２８から外に突出するように形成されている。一方、放熱部材５０が電子機器１０の機器本体の外壁２２の内部に配置されている。この放熱部材５０は公知のように電子機器１０の内部の電子部品に接触せしめられている。電子機器１０の機器本体の外壁２２の一部２２ａは、開閉可能になっており、ばねによって閉じる方向に付勢されている。バッテリパック２０が電子機器１０に取り付けられると、放熱部材４４の一部４４ｃは電子機器１０の機器本体の外壁２２の一部２２ａを押し開いて放熱部材５０の一部５０ａに接触するようになっている。この場合には電子機器１０の内部の電子部品から発生する熱は直接に放熱部材４４へ放熱される。
図８は、放熱構造４０が凹凸壁構造４２とファン５２とを含む例を示す図である。ファン５２はバッテリパック２０の内部に配置されており、空気通路５４がバッテリパック２０の内部に形成されている。従って、ファン５２が回転すると、電子機器１０の内部で発生する熱は空気通路５４を通る空気とともにバッテリパック２０を通って流れ、バッテリパック２０の外部へ放熱される。
図９はファン５２の駆動回路を示す図である。プッシュスイッチ５６がファン５２の駆動回路に挿入されている。プッシュスイッチ５６は、電子機器１０の機器本体の外壁２２に配置されたアクチュエータ５８によって作動せしめられるようになっている。アクチュエータ５８は図示しない信号により動き、ばね６０によって戻される。バッテリパック２０が電子機器１０に取り付けられている間にアクチュエータ５８を動かすと、プッシュスイッチ５６がオンになり、ファン５２を駆動することができる。
図１０はコネクタボックス６２を示す図である。コネクタボックス６２は図１から図９のバッテリパック２０の代わりに電子機器１０の機器本体に取り付けられることができる。従って、コネクタボックス６２はバッテリパック２０のコネクタ３２及びねじ３４と同様のコネクタ及びねじ（図示せず）を有する。コネクタボックス６２はさらに複数のコネクタ６４を有する。これらのコネクタ６４には別の電子部品（いわゆる、周辺機器）を取り付け、情報処理装置１０の機能を拡張することができる。図１０においては、マウス６６がコネクタ６４の一つに取り付けられている。
図１１は電子機器の他の例を示す図である。この例では、バッテリパック２０が突出部６８を有する。突出部６８はキーボード１２を含む部分１４の後端面の内部空間７０に進入できるようになっている。内部空間７０には扉７２が設けられている。突出部６８に設けたコネクタ（例えば図２のコネクタ３２）が内部空間７０内に設けたコネクタ（例えば図２のコネクタ２４）に嵌合するようになっている。また、キーボード１２を含む部分１４の側面に設けた弾性変形可能な爪７４が突出部６８の側面に設けられた係合穴７６に係合し、機械的な接続を行うようになっている。
バッテリパック２０及びコネクタボックス６２の内部の配線については、特開平１０−１１６１３３号と同様の構成を採ればよい。
以上はバッテリパック２０及びコネクタボックス６２を電子機器に外付けする例について説明したが、電子機器に外付けされる電気部品はそのようなバッテリパック２０及びコネクタボックス６２に限定されるものではない。
産業上の利用の可能性
このようにして、電子機器に電気部品を外付けし、電子機器の機器本体の内部で発生した熱を電気部品に設けた放熱構造により放熱し、電子機器の内部の電子部品が過熱されることなく正常に作動するようにすることができる。
【図面の簡単な説明】
以下添付の図面に示される実施例を参照して本発明を説明する。
図面において、
図１は本発明の実施例の電子機器を示す斜視図である。
図２は図１の電子機器の部分拡大断面図である。
図３は放熱構造を含む電子機器の平面図である。
図４は図３のバッテリパックを示す斜視図である。
図５は放熱構造を含むバッテリパックの平面図である。
図６は放熱部材の例を示す断面図である。
図７は図６の放熱板部材の作動を説明する断面図である。
図８は放熱構造を含むバッテリパックの平面図である。
図９は図８のファンの駆動回路を示す略図である。
図１０はコネクタボックスの例を示す斜視図である。
図１１は電子機器の他の例を示す斜視図である。
【図１】
0003973362.tif 000002
【図２】
0003973362.tif 000003
【図３】
0003973362.tif 000004
【図４】
0003973362.tif 000005
【図５】
0003973362.tif 000006
【図６】
0003973362.tif 000007
【図７】
0003973362.tif 000008
【図８】
0003973362.tif 000009
【図９】
0003973362.tif 000010
【図１０】
0003973362.tif 000011
【図１１】
0003973362.tif 000012
0003973362.tif 000013
0003973362.tif 000014